(57)【要約】      （修正有）【課題】電子機器から遠く離れた位置から行われるリモコン装置の検査と同等の検査を近い位置から行うことのできるリモコン装置の検査方法を提供する。【解決手段】リモコン装置１の検査を行うときは、検査用アダプタ２をリモコン装置１の前面に取り付ける。検査用アダプタ２の前面部２２には赤外線低減部材２４が設けられている。リモコン装置１の発光ダイオード１１から放射される赤外線が赤外線低減部材２４によって弱められるので、検査用アダプタ２が取り付けられていない状態でプロジェクタ（電子機器の一例）から遠い位置でリモコン装置１を操作することによって行われる検査と同等な検査を近い位置から行うことができる。また、上記の遠い位置と近い位置との対応関係は予め求められている。【選択図】  図３
2006180131.tif 000002
【特許請求の範囲】
【請求項１】
プロジェクタ用のリモコン装置から放射される赤外線をプロジェクタの受光部に照射することによって行われるリモコン装置の検査方法において、
赤外線低減部材が前面に取り付けられた前記リモコン装置であって、前記受光部から第１距離だけ離れた位置にあるリモコン装置から放射された赤外線の前記受光部での強さと、前記赤外線低減部材が取り付けられていない前記リモコン装置であって、前記受光部から第２距離だけ離れた位置にあるリモコン装置から放射された赤外線の前記受光部での強さと、が等しくなる第１距離と第２距離との対応関係を予め求めておき、
前記赤外線低減部材が取り付けられたリモコン装置を第１距離だけ離れた位置で操作することにより、前記赤外線低減部材が取り付けられていないリモコン装置を第２距離だけ離れた位置で操作することにより行われる検査と同等な検査を行うことを特徴とするリモコン装置の検査方法。
【請求項２】
赤外線を受光部に照射することによって行われるリモコン装置の検査方法において、
赤外線低減部材が前面に取り付けられた前記リモコン装置であって、前記受光部から第１距離だけ離れた位置にあるリモコン装置から放射された赤外線の前記受光部での強さと、前記赤外線低減部材が取り付けられていない前記リモコン装置であって、前記受光部から第２距離だけ離れた位置にあるリモコン装置から放射された赤外線の前記受光部での強さと、が等しくなる第１距離と第２距離との対応関係を予め求めておき、
前記赤外線低減部材が取り付けられたリモコン装置を第１距離だけ離れた位置で操作することにより、前記赤外線低減部材が取り付けられていないリモコン装置を第２距離だけ離れた位置で操作することにより行われる検査と同等な検査を行うことを特徴とするリモコン装置の検査方法。
【請求項３】
請求項２に記載のリモコン装置の検査方法において、
前記赤外線低減部材として赤外線透過率の互いに異なる複数の赤外線低減部材を用いて前記リモコン装置を１つの前記第１距離だけ離れた位置で操作することにより、複数の前記第２距離だけ離れた位置から行われる検査と同等な検査を行うことを特徴とするリモコン装置の検査方法。
【発明の詳細な説明】
【技術分野】
【０００１】
本発明は、電子機器を操作するためのリモコン装置の検査方法に関する。
【背景技術】
【０００２】
近年、テレビやプロジェクタなどの多くの電子機器がリモコン装置によって操作できるようになっている。図７は従来のリモコン装置の検査方法の態様を示す図であり、上方から見たものである。リモコン装置５１の検査は、電子機器５２から所定の距離Ｌａ（例えば、３ｍ、５ｍおよび１０ｍ）だけ離れた位置でリモコン装置５１を操作し、電子機器５２が操作通りに動くか否かを確認することによって行われる。このとき、リモコン装置５１から放射された赤外線（矢印で示す）が電子機器５２の前面に設けられた受光部（不図示）で受光される。また、受光部に赤外線が斜め方向から照射されるときの検査も行われることもある。この検査は、左右や上下に所定角度だけ回転させた電子機器５２（左右に回転後の電子機器５２を破線で示す）に対してリモコン装置５１を操作することによって行われる。
【０００３】
下記の特許文献１には、電子機器の設置状態や使用目的に応じて赤外線の発光角度(指向特性）を変えることのできるリモコン装置が示されている。下記の特許文献２には、赤外線ノイズを除去するために、赤外線を吸収する塗料を塗った赤外線フィルタを赤外線受光素子の前面に設けることが示されている。下記の特許文献３には、赤外線受光モジュールに赤外線の波長よりも長い波長の光をカットするフィルタを設けることが示されている。
【特許文献１】実開平６−５２３８号公報（要約、段落０００３〜０００４）
【特許文献２】特開２００４−１０１３３４号公報（要約、請求項１）
【特許文献３】特開平５−１２２７７４号公報（要約、請求項１）
【発明の開示】
【発明が解決しようとする課題】
【０００４】
しかしながら、上記従来の検査方法では、検査担当者がリモコン５１の操作位置を移動するときや、電子機器５２の向きを変えるときに、長い距離Ｌａ（または、その一部）を何度も往復しなければならないので、この往復時間によって検査時間が長くなってしまうという問題がある。また、リモコン５１の操作位置と電子機器５２との間に赤外線の遮蔽物があると検査ができないので、検査用の広いスペースが必要であるという問題もある。一方、スクリーン（不図示）で反射した赤外線によっても動作することが要求されるプロジェクタ用のリモコン装置５１の検査では、距離Ｌａの最大値が２０ｍ程度と他の電子機器のものよりも長いので、上記の問題が顕著になる。尚、上記の特許文献１〜３に示される技術では上記の問題を解決することができない。
【０００５】
本発明は、上記問題点を解決するものであって、その課題とするところは、電子機器から遠く離れた位置から行われるリモコン装置の検査と同等の検査を近い位置から行うことのできるリモコン装置の検査方法を提供することにある。
【課題を解決するための手段】
【０００６】
第１の発明では、プロジェクタ用のリモコン装置から放射される赤外線をプロジェクタの受光部に照射することによって行われるリモコン装置の検査方法において、赤外線低減部材が前面に取り付けられたリモコン装置であって、受光部から第１距離だけ離れた位置にあるリモコン装置から放射された赤外線の受光部での強さと、赤外線低減部材が取り付けられていないリモコン装置であって、受光部から第２距離だけ離れた位置にあるリモコン装置から放射された赤外線の受光部での強さと、が等しくなる第１距離と第２距離との対応関係を予め求めておき、赤外線低減部材が取り付けられたリモコン装置を第１距離だけ離れた位置で操作することにより、赤外線低減部材が取り付けられていないリモコン装置を第２距離だけ離れた位置で操作することにより行われる検査と同等な検査を行う。
【０００７】
ここで、上記の第１距離および第２距離は、それぞれ実施形態に示す特別距離および通常距離に相当するものであり、１つまたは複数の距離である。また、検査方法はリモコン装置の試験や動作確認などのための方法をも含む概念である。
【０００８】
上記のように、第１距離と第２距離との対応関係が予め求められており、しかも赤外線が赤外線低減部材によって弱められるので、プロジェクタから遠く離れた位置（第２距離だけ離れた位置）から行われるリモコン装置の検査と同等の検査を近い位置（第１距離だけ離れた位置）から行うことができる。これにより、検査担当者がリモコン装置の操作位置を移動する時間や、プロジェクタと操作位置との間を往復する時間が短くなり、検査時間を短縮することができる。また、同様の理由で、従来よりも狭い検査用のスペースで検査を行うことが可能になる。従って、プロジェクタが量産され、プロジェクタ用のリモコン装置の製品検査が行われる場合には、リモコン装置の検査コストを低減することができ、延いてはプロジェクタの製造コストを低減することができる。さらに、赤外線低減部材が単にプロジェクタとリモコン装置の操作位置との間に置かれるのではなく、リモコン装置に取り付けられているので、検査時にリモコン装置の操作性が悪くなることもない。尚、プロジェクタ用のリモコン装置ではスクリーンで反射した赤外線によってもプロジェクタが動作することが要求され、上記の第２距離の最大値が他の電子機器のものよりも長いので、上記の検査時間の短縮および検査用のスペースの狭小化の効果が顕著である。
【０００９】
第２の発明では、赤外線を受光部に照射することによって行われるリモコン装置の検査方法において、赤外線低減部材が前面に取り付けられたリモコン装置であって、受光部から第１距離だけ離れた位置にあるリモコン装置から放射された赤外線の受光部での強さと、赤外線低減部材が取り付けられていないリモコン装置であって、受光部から第２距離だけ離れた位置にあるリモコン装置から放射された赤外線の受光部での強さと、が等しくなる第１距離と第２距離との対応関係を予め求めておき、赤外線低減部材が取り付けられたリモコン装置を第１距離だけ離れた位置で操作することにより、赤外線低減部材が取り付けられていないリモコン装置を第２距離だけ離れた位置で操作することにより行われる検査と同等な検査を行う。
【００１０】
ここで、上記の第１距離および第２距離は、それぞれ実施形態に示す特別距離および通常距離に相当するものであり、１つまたは複数の距離である。上記の受光部は、リモコン装置で操作する電子機器の受光部やリモコン装置を検査するための検査用装置に設けられた受光部である。また、検査方法はリモコン装置の試験や動作確認などのための方法をも含む概念である。
【００１１】
上記のように、第１距離と第２距離との対応関係が予め求められており、しかも赤外線が赤外線低減部材によって弱められるので、電子機器などの受光部から遠く離れた位置（第２距離だけ離れた位置）から行われるリモコン装置の検査と同等の検査を近い位置（第１距離だけ離れた位置）から行うことができる。これにより、検査担当者がリモコン装置の操作位置を移動する時間や、電子機器などと操作位置との間を往復する時間が短くなり、検査時間を短縮することができる。また、同様の理由で、従来よりも狭い検査用のスペースで検査を行うことが可能になる。従って、電子機器が量産され、電子機器用のリモコン装置の製品検査が行われる場合には、リモコン装置の検査コストを低減することができ、延いては電子機器の製造コストを低減することができる。さらに、赤外線低減部材が単に受光部とリモコン装置の操作位置との間に置かれるのではなく、リモコン装置に取り付けられているので、検査時にリモコン装置の操作性が悪くなることもない。
【００１２】
第２の発明の実施形態においては、赤外線低減部材として赤外線透過率の互いに異なる複数の赤外線低減部材を用いてリモコン装置を１つの第１距離だけ離れた位置で操作することにより、複数の第２距離だけ離れた位置から行われる検査と同等な検査を行うようにする。このようにすることで、リモコン装置の操作位置を変える必要がなくなるので、検査担当者が操作位置を間違うといったミスを防止することできる。つまり、間違った検査が行われるのを防止することができる。また、検査担当者が移動する必要がなくなるので、検査時間をさらに短縮することができる。
【発明の効果】
【００１３】
本発明によれば、電子機器などの受光部から遠く離れた位置から行われるリモコン装置の検査と同等の検査を近い位置から行うことができるので、検査時間を短縮することができると共に、従来よりも狭い検査用のスペースで検査を行うことが可能になる。
【発明を実施するための最良の形態】
【００１４】
図１は本発明に係るリモコン装置の検査方法の態様を示す図であり、上方から見たものである。図において、１はリモコン装置、２はリモコン装置１の前面に取り付けられた検査用アダプタ、３はリモコン装置１によって操作されるプロジェクタ（電子機器の一例）、３１はプロジェクタ３の投射レンズである。リモコン装置１から放射される赤外線（矢印で示す）を受光する受光部３２（図４）は投射レンズ３１の下方に設けられている。プロジェクタ３用のリモコン装置１はプロジェクタ３の正面から距離Ｌだけ離れた位置から操作され、プロジェクタ３が操作通りの動作をするか否かを確認することによって、リモコン装置１の検査が行われる。尚、リモコン装置１の操作用のキーやボタンの図示は省略されている。
【００１５】
図２は検査用アダプタ２の外観を示す図である。図３は検査用アダプタ２がリモコン装置１の前面に取り付けられた状態を模式的に示す図である。図４はプロジェクタ３の外観を示す図である。検査用アダプタ２は筒状部２１と前面部２２とからなる。筒状部２１にリモコン装置１の先端部を嵌め込むことによって、検査用アダプタ２がリモコン装置１に取り付けられる。また、前面部２２の窓２３には赤外線低減部材２４が取り付けられている。赤外線低減部材２４は、リモコン装置１の発光ダイオード１１から放射される赤外線の透過量を低減させるためのものであり、所定の赤外線透過率の部材である。赤外線低減部材２４を通過した赤外線が受光部３２で受光されると、赤外線信号中のコマンド情報に従ってプロジェクタ３が所定の動作を行う。
【００１６】
次に、検査用アダプタ２をリモコン装置１に取り付けてリモコン装置１を検査する方法について説明する。まず、従来のように検査用アダプタ２をリモコン装置１に取り付けないで検査（以下、この検査を通常検査という）が行われるときのリモコン装置１とプロジェクタ３との距離（以下、通常距離という）と、検査用アダプタ２をリモコン装置１に取り付けて検査（以下、この検査を特別検査という）が行われるときの距離であって、受光部３２での赤外線の強さ（赤外線の受光量）が通常検査における赤外線の強さと等しくなる距離（以下、特別距離という）との対応関係を予め実験的に求めておく。例えば、受光部３２の赤外線センサの出力信号を計測することによって求めておく。上記の特別距離は図１に示す距離Ｌであるので、以下では特別距離Ｌと表す。また、通常距離は図７に示す距離Ｌａに相当する距離であるので、以下では通常距離Ｌａと表す。尚、検査とは、リモコン装置１の製品検査だけでなく、設計段階で試作したリモコン装置１の試験や動作確認などをも含むものである。
【００１７】
図５は、通常距離Ｌａと特別距離Ｌとの対応関係の一例を示す図であり、４つの通常距離Ｌａと特別距離Ｌとの対応関係を示す。この対応関係は、例えば、通常検査においてプロジェクタ３から２０．０ｍだけ離れた位置でリモコン装置１が操作されたときと、特別検査において５．０ｍだけ離れた位置でリモコン装置１が操作されたときとで、受光部３２での赤外線の強さが等しいことを示す。特別検査ではリモコン装置１から放射された赤外線が赤外線低減部材２４によって弱められるので、特別距離Ｌは通常距離Ｌａよりも短くなる。
【００１８】
上述のようにして通常距離Ｌａと特別距離Ｌとの対応関係を予め求めた後に、個々のリモコン装置１の特別検査が行われる。まず、図３に示すように、検査担当者が検査用アダプタ２をリモコン装置１の前面に取り付ける。そして、プロジェクタ３から特別距離Ｌ（例えば５．０ｍ）だけ離れた位置でリモコン装置１を操作し、プロジェクタ３が操作通りに動作するか否かを確認することによって検査を行う。特別距離Ｌと通常距離Ｌａとは対応関係にあるので、上記の検査は、プロジェクタ３から通常距離Ｌａ（例えば２０．０ｍ）だけ離れた位置で検査用アダプタ２が取り付けられていないリモコン装置１を操作することによって行われる検査と同等な検査である。すなわち、検査用アダプタ２が取り付けられたリモコン装置１を特別距離Ｌだけ離れた位置で操作することにより、検査用アダプタ２が取り付けられていないリモコン装置１を通常距離Ｌａだけ離れた位置で操作することによって行われる検査と同等の検査を行うことができる。また、特別検査では、検査目的などに応じて、プロジェクタ３から他の特別距離Ｌ（例えば、１．３ｍ、２．５ｍおよび３．８ｍ）だけ離れたから位置行われる検査や、プロジェクタ３を上述のように左右または上下に所定角度だけ回転させた状態で行われる検査なども行われる。
【００１９】
上記のように、特別検査を行うことによってリモコン装置１の操作位置とプロジェクタ３との距離Ｌが従来よりも短くなるので、検査担当者がある操作位置から他の操作位置へ移動する時間や、プロジェクタ３と操作位置との間を往復する時間が短くなり、検査時間を短縮することができる。同様の理由で、従来よりも狭い検査用のスペースで検査を行うことが可能になる。さらに、検査用アダプタ２（赤外線低減部材２４）が単にプロジェクタ３とリモコン装置１の操作位置との間に置かれるのではなく、リモコン装置１に取り付けられているので、検査時にリモコン装置１の操作性が悪くなることもない。
【００２０】
次に、本発明の他の実施形態について説明する。先の実施形態では、複数の特別距離Ｌに対する特別検査を行うときには、特別検査を行うたびにリモコン装置１の操作位置を変えなければならなかった。それに対し、本実施形態では、図６に示す検査用アダプタ２ａを用いることにより、先の実施形態での複数の特別距離Ｌに対する特別検査と同等な検査が、同じ操作位置でリモコン装置１を操作することによって行われる。ここでは、図５に示す１．３ｍの特別距離Ｌだけ離れた位置でリモコン装置１が常に操作されるものとする。
【００２１】
検査用アダプタ２ａには、赤外線透過率が互いに異なる４つの赤外線低減部材２４ａ〜２４ｄが配置された円板２５が前面部２２に回転可能に取り付けられており、窓２３から放射される赤外線が赤外線低減部材２４ａ〜２４ｄのいずれかを通過するようになっている。図５に示す５．０ｍの通常距離Ｌａからの通常検査と同等の特別検査は、赤外線低減部材２４ａを窓２３の前面にセットすることによって行われる。これは、赤外線低減部材２４ａの赤外線透過率が先の実施形態の赤外線低減部材２４の赤外線透過率と同じであることを示す。また、図５に示す１０．０ｍ、１５．０ｍおよび２０．０ｍの通常距離Ｌａからの通常検査と同等の特別検査は、それぞれ赤外線低減部材２４ｂ〜２４ｄを窓２３の前面にセットすることによって行われる。この特別検査を行うことができるように、赤外線低減部材２４ｂ〜２４ｄとして、例えば、赤外線低減部材２４ａと同じ材質で厚さが少しずつ厚い部材が用いられる。
【００２２】
上記のように、複数の通常距離Ｌａに対する通常検査と同等な特別検査が同じ位置でリモコン１を操作することにより行われ、リモコン装置１の操作位置を変える必要がなくなるので、検査担当者が操作位置を間違うといったミスを防止することできる。また、検査担当者が移動する必要がなくなるので、検査時間をさらに短縮することができる。
【００２３】
以上述べた実施形態においては、プロジェクタ３がリモコン装置１の操作通りに動作するか否かを確認することによってリモコン装置１の検査を行ったが、プロジェクタ３の受光部３２と同等の仕様の受光部を有する検査用装置をプロジェクタ３の位置に置き、検査用装置の受光部が受光した赤外線の信号レベルなどを計測することによって検査を行うような場合にも本発明を実施することができる。
【図面の簡単な説明】
【００２４】
【図１】本発明に係るリモコン装置の検査方法の態様を示す図である。
【図２】検査用アダプタの外観を示す図である。
【図３】検査用アダプタがリモコン装置の前面に取り付けられた状態を模式的に示す図である。
【図４】プロジェクタの外観を示す図である。
【図５】通常距離と特別距離との対応関係の一例を示す図である。
【図６】検査用アダプタの他の実施形態を示す図である。
【図７】従来のリモコン装置の検査方法の態様を示す図である。
【符号の説明】
【００２５】
１    リモコン装置
２，２ａ  検査用アダプタ
３    プロジェクタ（電子機器の一例）
１１  発光ダイオード
２４，２４ａ〜２４ｄ  赤外線低減部材
３２  受光部
Ｌ    特別距離（第１距離）
Ｌａ  通常距離（第２距離）
【図１】
2006180131.tif 000003
【図２】
2006180131.tif 000004
【図３】
2006180131.tif 000005
【図４】
2006180131.tif 000006
【図５】
2006180131.tif 000007
【図６】
2006180131.tif 000008
【図７】
2006180131.tif 000009